【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
モノのインターネット(IoT)グループの通信のための方法であって、
1つまたは複数のグループの基準および1つまたは複数のIoTデバイスに関連する1つまたは複数の属性に従って、複数のIoTデバイスを複数のIoTグループに形成するステップであって、前記複数のIoTグループを形成するステップが、コンテキストにより制限される1つまたは複数の共通の属性を有する1つまたは複数のメンバーを含む少なくとも1つのアドホックなIoTグループを形成するステップを含み、前記1つまたは複数のグループの基準が、前記1つまたは複数のコンテキストにより制限される属性に基づく動的な基準を含み、前記少なくとも1つのアドホックなIoTグループを形成するステップが、互いに近くにある複数の前記複数のIoTデバイスを検出するステップと、実施する所望の機能を特定するステップとを含む、ステップと、
前記1つまたは複数のグループの基準および前記1つまたは複数のIoTデバイスに関連する前記1つまたは複数の属性に従って各IoTグループ内の1つまたは複数の階層を定義するステップであって、前記1つまたは複数の階層が、各IoTグループ内のグループ内通信と前記複数のIoTグループ間のグループ間通信とを制御し、前記少なくとも1つのアドホックなIoTグループを形成するステップが、
前記複数のIoTデバイスに関連する前記1つまたは複数の属性に基づいて、前記所望の機能を実施する能力を有する前記複数のIoTデバイスのサブセットを決定するステップと、
ローカルの通信チャネルを介して通信するように構成される独立したデバイスグループを形成するように前記複数のIoTデバイスの前記決定したサブセットに指示するステップであって、前記少なくとも1つのアドホックなIoTグループが、少なくとも前記独立したデバイスグループを含む、ステップと、
前記独立したデバイスグループに前記所望の機能を実施するように指示するステップと
を含む、ステップと
を含む、方法。
【請求項２】
前記1つまたは複数の階層を定義するステップが、
各IoTグループ内でグループの所有者を指定するステップであって、前記指定したグループの所有者が、その他のIoTグループとの前記グループ間通信を調整する、ステップを含む、請求項1に記載の方法。
【請求項３】
サーバが、各IoTグループの前記グループの所有者と通信して前記グループ間通信をさらに調整する、請求項2に記載の方法。
【請求項４】
各IoTグループの前記グループの所有者が、ピアツーピアで通信して前記グループ間通信を調整する、請求項2に記載の方法。
【請求項５】
前記グループ間通信が、
第1のIoTグループのIoTデバイスから目標のIoTグループに関連するアドレスにメッセージを送信することを含み、前記目標のIoTグループに関連する前記グループの所有者が、前記メッセージを受信し、かつ前記グループ間通信を制御する前記1つまたは複数の階層に従って前記目標のIoTグループのその他のIoTデバイスに前記受信したメッセージを転送する、請求項2に記載の方法。
【請求項６】
前記1つまたは複数の階層を定義するステップが、
各IoTグループ内の1つまたは複数のランク付けのメンバーを指定するステップであって、前記指定したランク付けのメンバーが、各IoTグループ内の前記グループ内通信を調整する、ステップを含む、請求項1に記載の方法。
【請求項７】
前記1つまたは複数のグループの基準が、1つまたは複数の静的な基準を含み、前記1つまたは複数の階層が、前記1つまたは複数の静的な基準、および各IoTグループの前記1つまたは複数のIoTデバイスに関連する永続的な属性に基づいて定義される、請求項1に記載の方法。
【請求項８】
前記複数のIoTデバイスを前記複数のIoTグループに形成するステップが、
1つまたは複数の永続的な属性を共有する1つまたは複数のメンバーを含む少なくとも1つの予め定義されたIoTグループを形成するステップであって、前記1つまたは複数のグループの基準が、前記1つまたは複数の永続的な属性に基づく静的な基準を含む、ステップを含む、請求項1に記載の方法。
【請求項９】
前記1つまたは複数のグループの基準が、1つまたは複数の動的な基準を含み、前記1つまたは複数の階層が、前記1つまたは複数の動的な基準、および各IoTグループの前記1つまたは複数のIoTデバイスに関連する1つまたは複数のコンテキストにより制限される属性に基づいて定義される、請求項1に記載の方法。
【請求項１０】
前記複数のIoTデバイスに隣接するデバイスオーガナイザが、ローカルのブートストラップチャネルを介して前記複数のIoTデバイスを検出する、請求項1に記載の方法。
【請求項１１】
前記検出した複数のIoTデバイスが1つまたは複数の光源を含み、
実施する前記所望の機能が、前記複数のIoTデバイスの近くにある投射スクリーンの近くの光の干渉を減らすことを含み、
前記1つまたは複数の属性が、前記1つまたは複数の光源に関連する光を発する能力、設置位置、および光の出力の向きを含み、
前記独立したデバイスグループに形成される前記複数のIoTデバイスの前記サブセットが、前記1つまたは複数の光源に関連する前記光を発する能力、前記設置位置、または前記向きのうちの1つまたは複数に基づいて前記投射スクリーンの近くの前記光の干渉を引き起こすと予想され、
前記独立したデバイスグループに形成される前記複数のIoTデバイスの前記サブセットが、前記光源に関連する光の出力レベルを下げること、または前記光の出力の向きを変えることのうちの1つまたは複数によって前記投射スクリーンの近くの前記光の干渉を減らすように構成される、請求項1に記載の方法。
【請求項１２】
前記検出した複数のIoTデバイスが1つまたは複数のエアコンを含み、
実施する前記所望の機能が部屋を冷やすことを含み、
前記1つまたは複数の属性が、前記1つまたは複数のエアコンが冷やすことができる特定された領域、および前記1つまたは複数のエアコンが前記特定された領域を冷やすことができる程度を含み、
前記独立したデバイスグループに形成される前記複数のIoTデバイスの前記サブセットが、前記部屋を冷やすように構成され、
前記独立したデバイスグループに形成される前記複数のIoTデバイスの前記サブセットが、前記部屋を冷やすための冷房出力レベルを調整するように構成される、請求項1に記載の方法。
【請求項１３】
1つまたは複数のグループの基準および1つまたは複数のIoTデバイスに関連する1つまたは複数の属性に従って、複数のIoTデバイスを複数のIoTグループに形成するための手段であって、前記複数のIoTグループを形成するための手段が、コンテキストにより制限される1つまたは複数の共通の属性を有する1つまたは複数のメンバーを含む少なくとも1つのアドホックなIoTグループを形成するための手段を含み、前記1つまたは複数のグループの基準が、前記1つまたは複数のコンテキストにより制限される属性に基づく動的な基準を含む、手段と、
前記1つまたは複数のグループの基準および前記1つまたは複数のIoTデバイスに関連する前記1つまたは複数の属性に従って各IoTグループ内の1つまたは複数の階層を定義するための手段であって、前記1つまたは複数の階層が、各IoTグループ内のグループ内通信と前記複数のIoTグループ間のグループ間通信とを制御し、前記複数のIoTグループに関連する、手段と、
前記複数のIoTデバイスに関連する前記1つまたは複数の属性に基づいて、互いに近くにあり、かつ所望の機能を実施する能力を有する前記複数のIoTデバイスのサブセットを決定するための手段と、
前記所望の機能を実施するためにローカルの通信チャネルを介して通信するように構成される独立したデバイスグループを形成するように前記複数のIoTデバイスの前記決定したサブセットに指示するための手段であって、前記少なくとも1つのアドホックなIoTグループが、少なくとも前記独立したデバイスグループを含む、手段と
を含む、装置。
【請求項１４】
前記1つまたは複数の階層を定義するための手段が、
各IoTグループ内でグループの所有者を指定するための手段であって、前記指定したグループの所有者が、その他のIoTグループとの前記グループ間通信を調整する、手段を含む、請求項13に記載の装置。
【請求項１５】
コンピュータ実行可能命令を記録するコンピュータ可読ストレージ媒体であって、前記コンピュータ実行可能命令を1つまたは複数のプロセッサで実行することが、前記1つまたは複数のプロセッサに、請求項1〜12のいずれか一項に記載の方法を実行させる、コンピュータ可読ストレージ媒体。